(57)【要約】【課題】屋外での作業時間を短縮し、コネクタ部からの気密漏れをなくすと共に良好な信号伝送状態を確保でき、機器の小型化並びに高機能化に対応する。【解決手段】光ファイバケーブル１１の先端部に防水コネクタ部１２を装着する。防水コネクタ部１２は、光ファイバケーブル１１の先端部に装着し、内部に設けたテンションメンバ固定具により光ファイバケーブル１１のテンションメンバを固定すると共に、接続用光コード１３を所定長さ導出してその先端に光コネクタ１４を装着する。防水コネクタ部１２は、固定ボディ部２０と回転ボディ部３０からなり、固定ボディ部２０の先端部に気密ボディ部２１を設ける。気密ボディ部２１は、内側に設けたガスケット２５により光ファイバケーブル１１と密着して気密を保持する。回転ボディ部３０は、固定ボディ部２０に回転可能に設けたもので、機器に装着するためのネジ部３３を備えている。【選択図】      図１
2005062344.tif 000002
【特許請求の範囲】
【請求項１】
光ファイバケーブルの先端部に装着され、該光ファイバケーブルとの間を気密状態に保持する防水コネクタ部と、前記防水コネクタ部の先端に回転可能に設けられ、機器接続用のネジ部を備えた回転ボディ部と、前記防水コネクタ部内に設けられ、前記光ファイバケーブルのテンションメンバを固定する共に、前記光ファイバケーブルの接続用光コードを外部に導出するテンションメンバ固定具と、前記外部に導出された接続用光コードの先端に装着される光コネクタとを具備したことを特徴とする光ファイバケーブル引込用コネクタ。
【発明の詳細な説明】
【技術分野】
【０００１】
本発明は、光ファイバケーブルを光ノードへ引き込むための光ファイバケーブル引込用コネクタに関する。
【背景技術】
【０００２】
近年、ＣＡＴＶシステムでは、ＣＡＴＶインターネットの普及に伴って伝送容量が増加しており、このため伝送路が同軸ケーブルから光ファイバケーブルへの切替が進められている。また、伝送路を光ファイバケーブルへ切替えた場合においても、伝送容量の増加に伴って伝送路に設置される光ノード、すなわち屋外型の光送／受信機の数量が増加している。
【０００３】
更に、近年のＣＡＴＶシステムでは、伝送路の冗長化が一般的となっている。このため機器の小型化並びに高機能化が図られており、光ファイバケーブルを光ノードへ引き込むためのケーブル固定具を機器内部に配置するためのスペースがなくなってきている。上記ケーブル固定具は、光ファイバケーブル内にあるテンションメンバを固定するためのテンションメンバ固定具である。
【０００４】
また、光ノードへの光ファイバケーブルの引き込み作業には、コネクタ部分の気密保持と、良好な伝送信号確保のため、光ファイバケーブルの規定寸法の加工・光ファイバ心線の融着・融着余長部の収納及び防水コネクタの取り付けと、作業者は高所において繊細な作業を行なわなければならず、その作業に長時間を費やしている。
【特許文献１】特開平１０−５４９１２号公報
【発明の開示】
【発明が解決しようとする課題】
【０００５】
上記のように光ノードへの光ファイバケーブルの引き込み作業を行なう場合、作業者は高所において繊細な作業を行なわなければならず、また、機器の小型化並びに高機能化に伴って、光ファイバケーブルのテンションメンバ固定具を機器内部に配置するためのスペースがなくなってきている。
【０００６】
本発明は上記の課題を解決するためになされたもので、光ファイバケーブルの融着加工、規定寸法の加工、余長の収納作業等をなくして作業時間の短縮を図ることができ、加工不良に伴うコネクタ部からの気密漏れをなくすと共に良好な信号伝送状態を確保でき、かつテンションメンバ固定具を防水コネクタ内に配置することで、機器の小型化並びに高機能化に対応することができる光ファイバケーブル引込用コネクタを提供することを目的とする。
【課題を解決するための手段】
【０００７】
本発明に係る光ファイバケーブル引込用コネクタは、光ファイバケーブルの先端部に装着され、該光ファイバケーブルとの間を気密状態に保持する防水コネクタ部と、前記防水コネクタ部の先端に回転可能に設けられ、機器接続用のネジ部を備えた回転ボディ部と、前記防水コネクタ部内に設けられ、前記光ファイバケーブルのテンションメンバを固定する共に、前記光ファイバケーブルの接続用光コードを外部に導出するテンションメンバ固定具と、前記外部に導出された接続用光コードの先端に装着される光コネクタとを具備したことを特徴とする。
【発明の効果】
【０００８】
本発明によれば、光ノードへ光ファイバケーブルの引き込み作業を行なう際、光ファイバケーブルの融着加工、規定寸法の加工、余長の収納作業等の繊細な作業をなくすことができ、作業時間を著しく短縮することができる。また、光ファイバケーブルの加工作業が不要となるので、加工不良に伴うコネクタ部からの気密漏れをなくすと共に良好な信号伝送状態を保つことができる。更に、テンションメンバ固定具を防水コネクタ内に配置することで、機器の小型化並びに高機能化に対応することができる。
【発明を実施するための最良の形態】
【０００９】
以下、図面を参照して本発明の一実施形態を説明する。  
図１は本発明の一実施形態に係る光ファイバケーブル引込用コネクタ１０の外観構成を示す斜視図、図２は図１における防水コネクタ部の断面図である。
【００１０】
図１及び図２において、１１は架空用光ファイバケーブルで、先端部に防水コネクタ部１２が装着される。上記光ファイバケーブル１１は、図示しないが、ケーブル設置端部において機械的な固定を図るためのテンションメンバを中心線として備え、該テンションメンバの周囲に多数本の光ファイバケーブル心線（接続用光コード）を有し、更にその外周が外皮により覆われている。上記光ファイバケーブル心線により光信号の伝送が行なわれる。
【００１１】
上記防水コネクタ部１２は、光ファイバケーブル１１の先端部に密着して気密を保持すると共に光ファイバケーブル１１のテンションメンバを固定し、心線である接続用光コード１３を先端部から所定長さ（規定寸法）導出する。上記防水コネクタ部１２から外部に導出された接続用光コード１３の先端には、光コネクタ１４が装着される。この光コネクタ１４は、光ノード内に設けられている光コネクタ（図示せず）に接続される。
【００１２】
上記防水コネクタ部１２は、図２に詳細を示すように固定ボディ部２０と回転ボディ部３０からなっている。  
上記固定ボディ部２０には、先端部、すなわち光ファイバケーブル１１を装着する端部側に気密ボディ部２１が設けられる。この気密ボディ部２１は、ボディ２２とボディカバー２３からなり、ボディ２２が固定ボディ部２０の先端内側に螺着され、固定ボディ部２０と気密ボディ部２１との対向面にＯリング２４が介在される。このＯリング２４によって固定ボディ部２０と気密ボディ部２１との間が機密に保持される。また、気密ボディ部２１におけるボディ２２の内側及びボディカバー２３の先端開口部には、光ファイバケーブル１１との間に例えば筒状のガスケット２５が介在される。
【００１３】
上記固定ボディ部２０は、気密ボディ部２１側から光ファイバケーブル１１を挿入し、気密ボディ部２１のボディ２２及びボディカバー２３の先端開口部にガスケット２５を介在することにより、光ファイバケーブル１１と密着して気密を保持する。
【００１４】
また、上記固定ボディ部２０は、回転ボディ部３０を装着する側が径小に形成され、この径小部に抜け止めリング３１及びＯリング３２を介して回転ボディ部３０が回転可能に設けられる。上記固定ボディ部２０と回転ボディ部３０との間は、上記Ｏリング３２によって気密に保持される。上記回転ボディ部３０には、回転操作が容易なように外側に凹凸が形成されている。
【００１５】
また、上記回転ボディ部３０には、先端にネジ部３３が設けられる。すなわち、回転ボディ部３０の先端が径小に形成され、この径小部の外周にネジが形成される。更に、上記ネジ部３３の基部には、Ｏリング３４が設けられる。上記ネジ部３３は、詳細を後述するように光ノードの光ファイバケーブル引込口に螺着されるが、この光ファイバケーブル引込口と回転ボディ部３０との間が上記Ｏリング３４によって気密に保持される。
【００１６】
また、上記回転ボディ部３０内には、固定ボディ部２０の先端部に位置するようにテンションメンバ固定具３５が設けられ、このテンションメンバ固定具３５によって光ファイバケーブル１１内のテンションメンバ（図示せず）が固定される。すなわち、光ファイバケーブル１１は、固定ボディ部２０の先端部分において外被を取り除き、中心部に設けられているテンションメンバをテンションメンバ固定具３５により固定する。また、テンションメンバ固定具３５は、例えば固定ボディ部２０側に抜け止めリング３６を備え、回転ボディ部３０から抜けないようになっている。
【００１７】
上記回転ボディ部３０は、テンションメンバ固定具３５を収容できる大きさに形成されており、上記したように固定ボディ部２０に対して回転可能に装着される。
【００１８】
また、上記光ファイバケーブル１１は、上記固定ボディ部２０の先端部分において外皮が取り除かれることにより、テンションメンバと共に接続用光コード１３が外部に露出される。この接続用光コード１３は、テンションメンバと分離され、例えばテンションメンバ固定具３５の中心部を通ってネジ部３３より外部に所定長さ導出され、その先端に上記したように光コネクタ１４が装着される。
【００１９】
上記のように構成された光ファイバケーブル引込用コネクタ１０を光ノードに取り付ける場合は、図３に示すように、先ず光ファイバケーブル１１の接続用光コード１３及び光コネクタ１４を光ノード５１の光ファイバケーブル引込口５２より挿入し、次いで回転ボディ部３０の先端に形成されているネジ部３３を上記光ファイバケーブル引込口５２に螺着する。
【００２０】
上記光ファイバケーブル引込口５２は、ネジ構造となっており、回転ボディ部３０を矢印で示すように回転させてネジ部３３をねじ込むことにより固着することができる。この際、光ファイバケーブル引込口５２と回転ボディ部３０との間にＯリング３４が介在され、両者は気密状態に保持される。また、上記光ファイバケーブル引込口５２から光ノード５１内に挿入された光コネクタ１４は、光ノード５１に設けられている光コネクタに接続される。
【００２１】
上記光ファイバケーブル引込用コネクタ１０を光ノード５１の光ファイバケーブル引込口５２に取り付ける際、回転ボディ部３０を回転させることでネジ部３３を光ファイバケーブル引込口５２に固定することができ、固定ボディ部２０が回転することはない。このため光ファイバケーブル引込用コネクタ１０の取り付けに際して、接続用光コード１３が捩れるようなことはない。
【００２２】
上記光ファイバケーブル引込用コネクタ１０は、光ファイバケーブル１１の端部に防水コネクタ部１２を装着すると共に、防水コネクタ部１２から規定長さの接続用光コード１３を導出し、その先端に光コネクタ１４を装着しているので、光ノード５１への光ファイバケーブル１１の引き込み作業において、ケーブル加工、光ファイバケーブル心線の融着加工、光ファイバケーブル余長の収納作業等を無くして作業時間の短縮を図ることができる。
【００２３】
また、光ファイバケーブルの加工が不要となるので、加工不良での気密漏れの心配を無くすと共に良好な信号伝送状態を確保することができる。また、防水コネクタ部１２の取付けを容易に行なうことができると共に、この防水コネクタ部１２からの気密漏れを無くすことができる。
【００２４】
更に、テンションメンバ固定具３５を防水コネクタ部１２内に配置することで、機器側にテンションメンバ固定具３５の設置スペースを設ける必要がなくなり、機器の小型化及び高機能化に対応することができる。
【００２５】
なお、本発明は、上記実施形態そのままに限定されるものではなく、実施段階ではその要旨を逸脱しない範囲で構成要素を変形して具体化できるものである。
【図面の簡単な説明】
【００２６】
【図１】本発明の一実施形態に係る光ファイバケーブル引込用コネクタの全体の構成を示す斜視図である。
【図２】同実施形態における防水コネクタ部の詳細を示す断面図である。
【図３】同実施形態における光ファイバケーブル引込用コネクタの取り付け作業を説明するための図である。
【符号の説明】
【００２７】
１０…光ファイバケーブル引込用コネクタ、１１…光ファイバケーブル、１２…防水コネクタ部、１３…接続用光コード、１４…光コネクタ、２０…固定ボディ部、２１…気密ボディ部、２２…ボディ、２３…ボディカバー、２４…Ｏリング、２５…ガスケット、３０…回転ボディ部、３１…抜け止めリング、３２…Ｏリング、３３…ネジ部、３４…Ｏリング、３５…テンションメンバ固定具、３６…テンションメンバ固定具の抜け止めリング、５１…光ノード、５２…光ファイバケーブル引込口。
【図１】
2005062344.tif 000003
【図２】
2005062344.tif 000004
【図３】
2005062344.tif 000005